(57)【要約】      （修正有）【課題】デスクトップ型パソコンを使用していないときのキーボードの机上占有スペースを縮小するためのキーボードの収納支持具を提供する。【解決手段】キーボードの収納支持具１０は台座２０と保持体３０で構成される。保持体３０は、連結部を支点として水平に９０度回転する。収納支持具１０は台座２０によりモニター装置５０の前面左右の下角位置のモニター装置の底面と側面の２面の外枠に固定される。キーボードを収納するとき、保持体３０は９０度回転してモニター装置の前面に配置され、キーボードは保持体３０の内側で裏向きの直立状態で保持され、モニター装置５０の前面で収納される。【選択図】図５
2012230468.tif 000002
【特許請求の範囲】
【請求項１】
モニター装置の前面左右の下角に取り付けるキーボードの収納支持具であり、デスクトップ型パソコンの不使用時に前記キーボードを空中で保持するため、前記モニター装置の側部より回転体を送り出すことに特徴を有するキーボード支持具。
【請求項２】
請求項１で記載のある収納支持具で収納することができるるキーボードであって、入力処理機能のほかに情報処理機能を有し、前記キーボードの裏面に操作手段や表示手段などを備えたことを特徴とするキーボード。
【請求項３】
請求項１に記載のある収納支持具と前記収納支持具によって、裏面をデスクトップ型パソコンのユーザー側に向かって収納することができるる請求項２に記載のあるキーボードによって構成されることを特徴とする情報端末立体構成システム。
【発明の詳細な説明】
【技術分野】
【０００１】
デスクトップ型パソコンの不使用時におけるキーボードの取り扱いに関する。
【背景技術】
【０００２】
従来、デスクトップ型パソコンを使用するとき、キーボードが机のスペースを狭めていることを解消する手段に関する技術が開示されている（例えば、特許文献１を参照）。この特許文献１に記載の技術によれば、デスクトップ型パソコンのモニター装置の下に、キーボードを収納できるスペースを確保する。
【先行技術文献】
【特許文献】
【０００３】
【特許文献１】特開２００７−１８８２９2号公報（第２頁）
【発明の概要】
【発明が解決しようとする課題】
【０００４】
近年デスクトップ型パソコンは、本体が技術開発により小型化が進んでいるが、入力装置であるキーボードは、マンーマシンインターフェースであるために、操作能率の観点から、大きさはほぼ一定であり、また必ずしも、小型化が望まれているわけではない。そのため、キーボードは時代の変化にかかわらず、一定不変に、机上スペースを占有している。
【０００５】
デスクトップ型パソコンを使用していないときは、デスクワークの妨げとなるために、キーボードが占める机上スペースを縮小し、出来れば、キーボードの占有スペースをゼロ化できるキーボードの収納手段を実現することが望まれている。
【０００６】
一方、キーボードはパソコン入力装置としてパソコンを使用しているときには有効であるが、パソコンの不使用時には、スペースを占有するばかりで負の効用しかない。
【０００７】
パソコンの不使用時に、キーボードの裏面を使って本来の入力機能以外に新機能を持たせれば、有益な装置となるが、そのような新機能の発揮を可能とする技術の開示はなされていない。
【課題を解決するための手段】
【０００８】
上記問題を解決するために、請求項１の発明は、モニター装置の前面左右の下角に取り付けるキーボードの収納支持具であり、デスクトップ型パソコンの不使用時に前記キーボードを空中で保持するため、前記モニター装置の側部より回転体を送り出すこと要旨とする。
【０００９】
上記問題を解決するために、請求項２の発明は、請求項１で記載のある収納支持具で収納することができるるキーボードであって、入力処理機能のほかに情報処理機能を有し、前記キーボードの裏面に操作手段や表示手段などを備えたことを趣旨とする。
【００１０】
上記問題を解決するために、請求項３の発明は、請求項１に記載のある収納支持具と前記収納支持具によって、裏面をデスクトップ型パソコンのユーザー側に向かって収納することができるる請求項２に記載のあるキーボードによって構成されることを趣旨とする。
【発明の効果】
【００１１】
本発明によれば、デスクトップ型パソコンの不使用時に、キーボードは空中で保持される状態で収納されるために、キーボードが机の上を占有する平面スペースを完全にゼロ化できる。
【００１２】
本発明によれば、パソコンの不使用時には、何の便益ももたらさなかったキーボードに機能を付加し、キーボードを新たな情報端末とすることができる。
【００１３】
本発明によれば、前述のキーボードが新たな情報端末としての機能を果たすことができる設置手段を提供することが可能となる。
【００１４】
本発明は、簡単な仕組みでデスクトップ型パソコン不使用時のキーボードによる机上面積の占有という問題を解決し、キーボードによる占有面積のゼロ化という目的の達成を可能にし、さらに、従来使用されることのなかったキーボードの裏面を活用することで新たな便益ををユーザーにもたらす手段を提供することができる。
【図面の簡単な説明】
【００１５】
【図１】収納支持具の外観図
【図２】収納支持具の外観図（回転体引き出し時）
【図３】収納支持具を設置したモニター装置の前面図
【図４】収納支持具を使用状態にしたモニター装置の前面図
【図５】裏面を利用するキーボードの事例を示す図
【図６】収納支持具によりキーボードを収納した外観図
【実施例】
【００１６】
図１に示されるように、本発明の実施に係るキーボードの収納支持具は台座２０と回転体３０で構成される。
【００１７】
図２に示されるように、回転体３０は、連結部４０を支点として台座２０から水平に回転する。
【００１８】
図３に示されるように、収納支持具１０はモニター装置の前面下角位置に台座２０の側面と底面の内側をモニター装置の外枠に固定される。
【００１９】
台座２０は、回転体３０が支持するキーボードの重量負荷に耐えるためにモニター装置の側面と底面の外枠に固定されるものであるが、回転体３０がモニター装置にキーボードの重量負荷に耐えるほど充分強固にモニター装置に連結できるならば、その場合、台座２０はモニター装置の底面にのみ固定してもよい。また、回転体３０をモニター装置の躯体に直接単独で組み付けしてもよい。
【００２０】
図４に示されるようにキーボードを収納するとき、回転体３０は９０度回転してモニター装置の前面に配置される。
【００２１】
キーボードを新しい情報端末として見た場合、面積が比較的広いため、多様な使い方ができる。一例として図５に示されるように、キーボードは新しい情報端末機能を持たせており、裏面にはその機能の操作手段と表示手段などを備えている。
【００２２】
パソコン本体を使用すると一定の電力消費が必要となるが、このキーボードの裏面を使う機能は、例えば独自の電源により、パソコンの本体機能を使うまでもないような、デジタルフォトの表示、ラジオ受信、文字放送の受信や時計の表示などの利用が適する。
【００２３】
また、災害時などの停電時にも使用を可能とする、蓄電池または乾電池を補助電源として備えれば、より有効である。
【００２４】
図６に示されるように、キーボードは収納支持具１０の回転体３０により横置きにして裏返しの状態で支持され、回転体３０の内側で、モニター装置の前面に、もたせかける状態で収納される。
【産業上の利用可能性】
【００２５】
企業や家庭において現在使用中の多くのデスクトップ型パソコンのモニター装置に、後付け機構品として、本発明（収納支持具）を適応することができるとともに、モニター装置製造会社において新規に製造するモニター装置に本発明（収納支持具）を適応できる。
【００２６】
本発明により、キーボードが新たな機能を備えた情報端末とし開発できる。
【符号の説明】
【００２７】
２０  台座
３０  回転体
４０  連結部
５０  モニター装置
６０  キーボード（裏面）
６１  キーボード信号ケーブル
６２  文字情報表示部
６３  時計
６４  ラジオ周波数表示部
６５  各種操作ボタン
６６  グラフィックス表示部
６７  スピーカー
６８  スピーカー
【図１】
2012230468.tif 000003
【図２】
2012230468.tif 000004
【図３】
2012230468.tif 000005
【図４】
2012230468.tif 000006
【図５】
2012230468.tif 000007
【図６】
2012230468.tif 000008
【手続補正書】
【提出日】平成23年5月2日(2011.5.2)
【手続補正１】
【補正対象書類名】特許請求の範囲
【補正対象項目名】請求項２
【補正方法】変更
【補正の内容】
【請求項２】
請求項１で記載のある収納支持具で収納することができるキーボードであって、入力処理機能のほかに情報処理機能を有し、前記キーボードの裏面に操作手段や表示手段などを備えたことを特徴とするキーボード。
【手続補正２】
【補正対象書類名】特許請求の範囲
【補正対象項目名】請求項３
【補正方法】変更
【補正の内容】
【請求項３】
請求項１に記載のある収納支持具と前記収納支持具によって、裏面をデスクトップ型パソコンのユーザー側に向かって収納することができる請求項２に記載のあるキーボードによって構成されることを特徴とする情報端末立体構成システム。
【手続補正３】
【補正対象書類名】明細書
【補正対象項目名】０００９
【補正方法】変更
【補正の内容】
【０００９】
上記問題を解決するために、請求項２の発明は、請求項１で記載のある収納支持具で収納することができるキーボードであって、入力処理機能のほかに情報処理機能を有し、前記キーボードの裏面に操作手段や表示手段などを備えたことを趣旨とする。
【手続補正４】
【補正対象書類名】明細書
【補正対象項目名】００１０
【補正方法】変更
【補正の内容】
【００１０】
上記問題を解決するために、請求項３の発明は、請求項１に記載のある収納支持具と前記収納支持具によって、裏面をデスクトップ型パソコンのユーザー側に向かって収納することができる請求項２に記載のあるキーボードによって構成されることを趣旨とする。
【手続補正５】
【補正対象書類名】明細書
【補正対象項目名】００１４
【補正方法】変更
【補正の内容】
【００１４】
本発明は、簡単な仕組みでデスクトップ型パソコン不使用時のキーボードによる机上面積の占有という問題を解決し、キーボードによる占有面積のゼロ化という目的の達成を可能にし、さらに、従来使用されることのなかったキーボードの裏面を活用することで新たな便益をユーザーにもたらす手段を提供することができる。
【手続補正書】
【提出日】平成23年5月19日(2011.5.19)
【手続補正１】
【補正対象書類名】特許請求の範囲
【補正対象項目名】請求項３
【補正方法】変更
【補正の内容】
【請求項３】
請求項１に記載のある収納支持具を備えたモニター装置と前記収納支持具によって、裏面をデスクトップ型パソコンのユーザー側に向かって収納することができる請求項２に記載のあるキーボードによって構成されることを特徴とする情報端末立体構成システム。
【手続補正２】
【補正対象書類名】明細書
【補正対象項目名】００１０
【補正方法】変更
【補正の内容】
【００１０】
上記問題を解決するために、請求項３の発明は、請求項１に記載のある収納支持具を備えたモニター装置と前記収納支持具によって、裏面をデスクトップ型パソコンのユーザー側に向かって収納することができる請求項２に記載のあるキーボードによって構成されることを趣旨とする。
【手続補正書】
【提出日】平成23年5月24日(2011.5.24)
【手続補正１】
【補正対象書類名】明細書
【補正対象項目名】全文
【補正方法】変更
【補正の内容】
【発明の詳細な説明】
【技術分野】
【０００１】
デスクトップ型パソコンの不使用時におけるキーボードの取り扱いに関する。
【背景技術】
【０００２】
従来、デスクトップ型パソコンを使用するとき、キーボードが机のスペースを狭めていることを解消する手段に関する技術が開示されている（例えば、特許文献１を参照）。この特許文献１に記載の技術によれば、デスクトップ型パソコンのモニター装置の下に、キーボードを収納できるスペースを確保する。
【先行技術文献】
【特許文献】
【０００３】
【特許文献１】特開２００７−１８８２９２号公報（第２頁）
【発明の概要】
【発明が解決しようとする課題】
【０００４】
近年デスクトップ型パソコンは、本体が技術開発により小型化が進んでいるが、入力装置であるキーボードは、マンーマシンインターフェースであるために、操作能率の観点から、大きさはほぼ一定であり、また必ずしも、小型化が望まれているわけではない。そのため、キーボードは時代の変化にかかわらず、一定不変に、机上スペースを占有している。
【０００５】
デスクトップ型パソコンを使用していないときは、デスクワークの妨げとなるために、キーボードが占める机上スペースを縮小し、出来れば、キーボードの占有スペースをゼロ化できるキーボードの収納手段を実現することが望まれている。
【０００６】
一方、キーボードはパソコン入力装置としてパソコンを使用しているときには有効であるが、パソコンの不使用時には、スペースを占有するばかりで負の効用しかない。
【０００７】
パソコンの不使用時に、キーボードの裏面を使って本来の入力機能以外に新機能を持たせれば、有益な装置となるが、そのような新機能の発揮を可能とする技術の開示はなされていない。
【課題を解決するための手段】
【０００８】
上記問題を解決するために、請求項１の発明は、モニター装置の前面左右の下角に取り付けるキーボードの収納支持具であり、デスクトップ型パソコンの不使用時に前記キーボードを空中で保持するため、前記モニター装置の側部より回転体を送り出すこと要旨とする。
【０００９】
上記問題を解決するために、請求項２の発明は、請求項１で記載のある収納支持具で収納することができるキーボードであって、入力処理機能のほかに情報処理機能を有し、前記キーボードの裏面に操作手段や表示手段などを備えたことを趣旨とする。
【００１０】
上記問題を解決するために、請求項３の発明は、請求項１に記載のある収納支持具と前記収納支持具を備えたモニター装置によって、裏面をデスクトップ型パソコンのユーザー側に向かって収納することができる請求項２に記載のあるキーボードによって構成されることを趣旨とする。
【発明の効果】
【００１１】
本発明によれば、デスクトップ型パソコンの不使用時に、キーボードは空中で保持される状態で収納されるために、キーボードが机の上を占有する平面スペースを完全にゼロ化できる。
【００１２】
本発明によれば、パソコンの不使用時には、何の便益ももたらさなかったキーボードに機能を付加し、キーボードを新たな情報端末とすることができる。
【００１３】
本発明によれば、前述のキーボードが新たな情報端末としての機能を果たすことができる設置手段を提供することが可能となる。
【００１４】
本発明は、簡単な仕組みでデスクトップ型パソコン不使用時のキーボードによる机上面積の占有という問題を解決し、キーボードによる占有面積のゼロ化という目的の達成を可能にし、さらに、従来使用されることのなかったキーボードの裏面を活用することで新たな便益をユーザーにもたらす手段を提供することができる。
【図面の簡単な説明】
【００１５】
【図１】収納支持具の外観図
【図２】収納支持具の外観図（回転体引き出し時）
【図３】収納支持具を設置したモニター装置の前面図
【図４】収納支持具を使用状態にしたモニター装置の前面図
【図５】裏面を利用するキーボードの事例を示す図
【図６】収納支持具によりキーボードを収納した外観図
【図７】収納支持具の外観図その２
【実施例】
【００１６】
図１に示されるように、本発明の実施に係るキーボードの収納支持具は台座２０と回転体３０で構成される。
【００１７】
図２に示されるように、回転体３０は、連結部４０を支点として台座２０から水平に回転する。
【００１８】
図３に示されるように、収納支持具１０はモニター装置の前面下角位置に台座２０の側面と底面の内側をモニター装置の外枠に固定される。
【００１９】
台座２０は、回転体３０が支持するキーボードの重量負荷に耐えるためにモニター装置の側面と底面の外枠に固定されるものであるが、回転体３０がモニター装置にキーボードの重量負荷に耐えるほど充分強固にモニター装置に連結できるならば、その場合、台座２０はモニター装置の底面にのみ固定してもよい。また、回転体３０をモニター装置の躯体に直接単独で組み付けしてもよい。
【００２０】
図７に示されるように、台座２０はモニター装置の正面と底面の外枠に固定する形状にしてもよい。
【００２１】
図４に示されるようにキーボードを収納するとき、回転体３０は９０度回転してモニター装置の前面に配置される。
【００２２】
キーボードを新しい情報端末として見た場合、面積が比較的広いため、多様な使い方ができる。一例として図５に示されるように、キーボードは新しい情報端末機能を持たせており、裏面にはその機能の操作手段と表示手段などを備えている。
【００２３】
パソコン本体を使用すると一定の電力消費が必要となるが、このキーボードの裏面を使う機能は、例えば独自の電源により、パソコンの本体機能を使うまでもないような、デジタルフォトの表示、ラジオ受信、文字放送の受信や時計の表示などの利用が適する。
【００２４】
また、災害時などの停電時にも使用を可能とする、蓄電池または乾電池を補助電源として備えれば、より有効である。
【００２５】
図６に示されるように、キーボードは収納支持具１０の回転体３０により横置きにして裏返しの状態で支持され、回転体３０の内側で、モニター装置の前面に、もたせかける状態で収納される。
【産業上の利用可能性】
【００２６】
企業や家庭において現在使用中の多くのデスクトップ型パソコンのモニター装置に、後付け機構品として、本発明（収納支持具）を適応することができるとともに、モニター装置製造会社において新規に製造するモニター装置に本発明（収納支持具）を適応できる。
【００２７】
本発明により、キーボードが新たな機能を備えた情報端末とし開発できる。
【符号の説明】
【００２８】
２０  台座 ３０  回転体 ４０  連結部 ５０  モニター装置 ６０  キーボード（裏面） ６１  キーボード信号ケーブル ６２  文字情報表示部
６３  時計 ６４  ラジオ周波数表示部 ６５  各種操作ボタン ６６  グラフィックス表示部 ６７  スピーカー ６８  スピーカー
【手続補正２】
【補正対象書類名】図面
【補正対象項目名】図７
【補正方法】追加
【補正の内容】
【図７】
2012230468.tif 000009
【手続補正書】
【提出日】平成23年6月25日(2011.6.25)
【手続補正１】
【補正対象書類名】特許請求の範囲
【補正対象項目名】全文
【補正方法】変更
【補正の内容】
【特許請求の範囲】
【請求項１】
モニター装置の前面左右の下角に取り付けるキーボードの収納支持具であって、前記収納支持具は、Ｌ字型をした台座部と同じくＬ字型をした保持部により構成され、前記台座部と前記保持部は連結部により連結され、前記連結部を支点として前記保持部が回転動作を行えるようにしてあり、前記台座部は前記連結部をモニター装置の底面に位置する状態でモニター装置前面の下角の底面と側面の両面に接合され、前記保持部は前記台座部に重なり合う状態でモニター装置の底面と側面の両面に沿ってモニター装置の外観を損なわないように収蔵され、キーボードを収納するとき、前記保持部は前記連結部を支点としてモニター装置の前面に向かって、90度水平に回転することを特徴とするキーボードの収納支持具。
【請求項２】
モニター装置の前面左右の下角に取り付けるキーボードの収納支持具であって、前記収納支持具は、Ｌ字型をした台座部と同じくＬ字型をした保持部により構成され、前記台座部と前記保持部は連結部により連結され、前記連結部を支点として前記保持部が回転動作を行えるようにしてあり、前記台座部は前記連結部をモニター装置の底面に位置する状態でモニター装置前面の下角の底面と前面の枠部分の両面に接合され、前記保持部はモニター装置の底面と側面の両面に沿ってモニター装置の外観を損なわないように収蔵され、キーボードを収納するとき、前記保持部は前記連結部を支点としてモニター装置の前面に向かって、90度水平に回転することを特徴とするキーボードの収納支持具。
【請求項３】
モニター装置の前面左右の下角に取り付けるキーボードの収納支持具であって、前記収納支持具は、I字型をした台座部とＬ字型をした保持部により構成され、前記台座部と前記保持部は連結部により連結され、前記連結部を支点として前記保持部が回転動作を行えるようにしてあり、前記台座部は前記連結部をモニター装置の底面に位置する状態でモニター装置前面の下角の底面に接合され、前記保持部はモニター装置の底面と側面の両面に沿ってモニター装置の外観を損なわないように収蔵され、キーボードを収納するとき、前記保持部は前記連結部を支点としてモニター装置の前面に向かって、90度水平に回転することを特徴とするキーボードの収納支持具。
【請求項４】
モニター装置の前面左右の下角に取り付けるキーボードの収納支持具であって、前記収納支持具は、Ｌ字型をした保持体であり、前記保持体は連結部によりモニター装置の底面でモニター装置の躯体に組み付けられるなどして連結し、前記連結部を支点として前記保持体が回転動作を行えるようにしてあり、モニター装置の底面と側面の両面に沿ってモニター装置の外観を損なわないように収蔵され、キーボードを収納するとき、前記保持体は前記連結部を支点としてモニター装置の前面に向かって、90度水平に回転することを特徴とするキーボードの収納支持具。
【手続補正２】
【補正対象書類名】明細書
【補正対象項目名】全文
【補正方法】変更
【補正の内容】
【発明の詳細な説明】
【技術分野】
【０００１】
デスクトップ型パソコンのキーボードの収納具に関する。
【背景技術】
【０００２】
従来、デスクトップ型パソコンを使用するとき、キーボードが机のスペースを狭めていることを解消する手段に関する技術が開示されている（例えば、特許文献１を参照）。この特許文献１に記載の技術によれば、デスクトップ型パソコンのモニター装置の下に、キーボードを収納できるスペースを確保する。
【先行技術文献】
【特許文献】
【０００３】
【特許文献１】特開２００７−１８８２９2号公報（第２頁）
【発明の概要】
【発明が解決しようとする課題】
【０００４】
近年デスクトップ型パソコンは、本体が技術開発により小型化が進んでいるが、入力装置であるキーボードは、マンーマシンインターフェースであるために、操作能率の観点から、大きさはほぼ一定であり、また必ずしも、小型化が望まれているわけではない。そのため、キーボードは時代の変化にかかわらず、一定不変に、机上スペースを占有している。
【０００５】
デスクトップ型パソコンを使用していないときは、デスクワークの妨げとなるために、キーボードが占める机上スペースを縮小し、出来れば、キーボードの占有スペースをゼロ化できるキーボードの収納手段を実現することが望まれている。
【課題を解決するための手段】
【０００６】
上記問題を解決するために、請求項１の発明はモニター装置の前面左右の下角に取り付けるキーボードの収納支持具であって、前記収納支持具は、Ｌ字型をした台座部と同じくＬ字型をした保持部により構成され、前記台座部と前記保持部は連結部により連結され、前記連結部を支点として前記保持部が回転動作を行えるようにしてあり、前記台座部は前記連結部をモニター装置の底面に位置する状態でモニター装置前面の下角の底面と側面の両面に接合され、前記保持部は前記台座部に重なり合う状態でモニター装置の底面と側面の両面に沿ってモニター装置の外観を損なわないように収蔵され、キーボードを収納するとき、前記保持部は前記連結部を支点として水平に回転してモニター装置の前面に向かって、90度送り出されること要旨とする。
【０００７】
上記問題を解決するために、請求項２の発明は、モニター装置の前面左右の下角に取り付けるキーボードの収納支持具であって、前記収納支持具は、Ｌ字型をした台座部と同じくＬ字型をした保持部により構成され、前記台座部と前記保持部は連結部により連結され、前記連結部を支点として前記保持部が回転動作を行えるようにしてあり、前記台座部は前記連結部をモニター装置の底面に位置する状態でモニター装置前面の下角の底面と前面の枠部分の両面に接合され、前記保持部はモニター装置の底面と側面の両面に沿ってモニター装置の外観を損なわないように収蔵され、キーボードを収納するとき、前記保持部は前記連結部を支点としてモニター装置の前面に向かって、90度水平に回転することを要旨とする。
【０００８】
上記問題を解決するために、請求項３の発明は、モニター装置の前面左右の下角に取り付けるキーボードの収納支持具であって、前記収納支持具は、I字型をした台座部とＬ字型をした保持部により構成され、前記台座部と前記保持部は連結部により連結され、前記連結部を支点として前記保持部が回転動作を行えるようにしてあり、前記台座部は前記連結部をモニター装置の底面に位置する状態でモニター装置前面の下角の底面に接合され、前記保持部はモニター装置の底面と側面の両面に沿ってモニター装置の外観を損なわないように収蔵され、キーボードを収納するとき、前記保持部は前記連結部を支点としてモニター装置の前面に向かって、90度水平に回転することを要旨とする。
【０００９】
上記問題を解決するために、請求項４の発明は、モニター装置の前面左右の下角に取り付けるキーボードの収納支持具であって、前記収納支持具は、Ｌ字型をした保持体であり、前記保持体は連結部によりモニター装置の底面でモニター装置の躯体に組み付けられるなどして連結し、前記連結部を支点として前記保持体が回転動作を行えるようにしてあり、モニター装置の底面と側面の両面に沿ってモニター装置の外観を損なわないように収蔵され、キーボードを収納するとき、前記保持体は前記連結部を支点としてモニター装置の前面に向かって、90度水平に回転することを要旨とする。
【発明の効果】
【００１０】
本発明によれば、キーボードは空中で保持される状態で収納されるために、キーボードが机の上を占有する平面スペースを完全にゼロ化できる。
【図面の簡単な説明】
【００１１】
【図１】収納支持具の外観図その１（底面と側面に接合した例）
【図２】収納支持具の外観図その２（底面と前面の枠に接合した例）
【図３】収納支持具の外観図その３（底面と側面に接合した例で保持体を引き出した状態）
【図４】収納支持具を設置したモニター装置の前面図（底面と側面に接合した例）
【図５】保持体を回転動作により、収納可能な状態にしたモニター装置の前面図
【図６】収納支持具によりキーボードを収納した外観図
【実施例】
【００１２】
図１に示されるように、本発明の実施に係るキーボードの収納支持具１０は台座２０と保持体３０で構成される。
【００１３】
図２に示されるように、台座２０はモニター装置５０の底面と前面との外枠に接合する形状にしてもよい。
【００１４】
図３に示されるように、保持体３０は、連結部４０を支点として水平に９０度回転する。
【００１５】
図４に示されるように、収納支持具１０は台座２０によりモニター装置５０の前面左右の下角位置のモニター装置の底面と側面の２面の外枠に固定される。
【００１６】
台座２０は、保持体３０が保持するキーボードの重量負荷に耐えるためにモニター装置５０の底面と側面の外枠に固定されるものであるが、保持体３０がモニター装置５０にキーボードの重量負荷に耐えるほど充分強固にモニター装置に連結できるならば、その場合、台座２０はモニター装置５０の底面にのみ固定してもよい。また、保持体３０をモニター装置５０の躯体に直接単独で組み付けしてもよい。
【００１７】
図５に示されるようにキーボードを収納するとき、保持体３０は９０度回転してモニター装置の前面に配置される。
【００１８】
図６に示されるように、キーボードは収納支持具１０の保持体３０の内側で、裏向きの直立状態で保持され、モニター装置５０の前面で収納される。
【産業上の利用可能性】
【００１９】
企業や家庭において使用中の多くのデスクトップ型パソコンのモニター装置に、後付け機構品として、本発明を適応することができるとともに、モニター装置製造会社において新規に製造するモニター装置に本発明を適応できる。
【符号の説明】
【００２０】
１０  収納支持具 ２０  台座 ３０  保持体 ４０  連結部 ５０  モニター装置 ６０  キーボード（裏面） ６１  キーボード信号ケーブル
【手続補正３】
【補正対象書類名】図面
【補正対象項目名】全図
【補正方法】変更
【補正の内容】
【図１】
2012230468.tif 000010
【図２】
2012230468.tif 000011
【図３】
2012230468.tif 000012
【図４】
2012230468.tif 000013
【図５】
2012230468.tif 000014
【図６】
2012230468.tif 000015
【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
モニター装置の前面左右の下角に取り付けるキーボードの収納支持具であって、前記収納支持具は、Ｌ字型をした台座部と同じくＬ字型をした保持部により構成され、前記台座部と前記保持部は連結部により連結され、前記連結部を支点として前記保持部が回転動作を行えるようにしてあり、前記台座部は前記連結部をモニター装置の底面に位置する状態でモニター装置前面の下角の底面と側面の両面に接合され、前記保持部は前記台座部に重なり合う状態でモニター装置の底面と側面の両面に沿ってモニター装置の外観を損なわないように収蔵され、キーボードを収納するとき、前記保持部は前記連結部を支点としてモニター装置の前面に向かって、９０度水平に回転することを特徴とするキーボードの収納支持具。
【請求項２】
モニター装置の前面左右の下角に取り付けるキーボードの収納支持具であって、前記収納支持具は、モニター装置の底面だけに配置される台座部とＬ字型をした保持部により構成され、前記台座部と前記保持部は連結部により連結され、前記連結部を支点として前記保持部が回転動作を行えるようにしてあり、前記台座部は前記連結部をモニター装置の底面に位置する状態でモニター装置前面の下角の底面に接合され、前記保持部はモニター装置の底面と側面の両面に沿ってモニター装置の外観を損なわないように収蔵され、キーボードを収納するとき、前記保持部は前記連結部を支点としてモニター装置の前面に向かって、９０度水平に回転することを特徴とするキーボードの収納支持具。
【請求項３】
モニター装置の前面左右の下角に取り付けるキーボードの収納支持具であって、前記収納支持具は、Ｌ字型をした保持体であり、前記保持体は連結部によりモニター装置の底面でモニター装置の躯体に組み付けられるなどして連結し、前記連結部を支点として前記保持体が回転動作を行えるようにしてあり、モニター装置の底面と側面の両面に沿ってモニター装置の外観を損なわないように収蔵され、キーボードを収納するとき、前記保持体は前記連結部を支点としてモニター装置の前面に向かって、９０度水平に回転することを特徴とするキーボードの収納支持具。
【手続補正２】
【補正対象書類名】明細書
【補正対象項目名】全文
【補正方法】変更
【補正の内容】
【発明の詳細な説明】
【技術分野】
【０００１】
デスクトップ型パソコンのキーボードの収納具に関する。
【背景技術】
【０００２】
従来、デスクトップ型パソコンを使用するとき、キーボードが机のスペースを狭めていることを解消する手段に関する技術が開示されている（例えば、特許文献１を参照）。この特許文献１に記載の技術によれば、デスクトップ型パソコンのモニター装置の下に、キーボードを収納できるスペースを確保する。
【先行技術文献】
【特許文献】
【０００３】
【特許文献１】特開２００７−１８８２９2号公報（第２頁）
【発明の概要】
【発明が解決しようとする課題】
【０００４】
近年デスクトップ型パソコンは、本体が技術開発により小型化が進んでいるが、入力装置であるキーボードは、マンーマシンインターフェースであるために、操作能率の観点から、大きさはほぼ一定であり、また必ずしも、小型化が望まれているわけではない。そのため、キーボードは時代の変化にかかわらず、一定不変に、机上スペースを占有している。
【０００５】
デスクトップ型パソコンを使用していないときは、デスクワークの妨げとなるために、キーボードが占める机上スペースを縮小し、出来れば、キーボードの占有スペースをゼロ化できるキーボードの収納手段を実現することが望まれている。
【課題を解決するための手段】
【０００６】
上記問題を解決するために、請求項１の発明は、モニター装置の前面左右の下角に取り付けるキーボードの収納支持具であって、前記収納支持具は、Ｌ字型をした台座部と同じくＬ字型をした保持部により構成され、前記台座部と前記保持部は連結部により連結され、前記連結部を支点として前記保持部が回転動作を行えるようにしてあり、前記台座部は前記連結部をモニター装置の底面に位置する状態でモニター装置前面の下角の底面と側面の両面に接合され、前記保持部は前記台座部に重なり合う状態でモニター装置の底面と側面の両面に沿ってモニター装置の外観を損なわないように収蔵され、キーボードを収納するとき、前記保持部は前記連結部を支点としてモニター装置の前面に向かって、９０度水平に回転すること要旨とする。
【０００７】
上記問題を解決するために、請求項２の発明は、モニター装置の前面左右の下角に取り付けるキーボードの収納支持具であって、前記収納支持具は、モニター装置の底面だけに配置される台座部とＬ字型をした保持部により構成され、前記台座部と前記保持部は連結部により連結され、前記連結部を支点として前記保持部が回転動作を行えるようにしてあり、前記台座部は前記連結部をモニター装置の底面に位置する状態でモニター装置前面の下角の底面に接合され、前記保持部はモニター装置の底面と側面の両面に沿ってモニター装置の外観を損なわないように収蔵され、キーボードを収納するとき、前記保持部は前記連結部を支点としてモニター装置の前面に向かって、９０度水平に回転することを趣旨とする。
【０００８】
上記問題を解決するために、請求項３の発明は、モニター装置の前面左右の下角に取り付けるキーボードの収納支持具であって、前記収納支持具は、Ｌ字型をした保持体であり、前記保持体は連結部によりモニター装置の底面でモニター装置の躯体に組み付けられるなどして連結し、前記連結部を支点として前記保持体が回転動作を行えるようにしてあり、モニター装置の底面と側面の両面に沿ってモニター装置の外観を損なわないように収蔵され、キーボードを収納するとき、前記保持体は前記連結部を支点としてモニター装置の前面に向かって、９０度水平に回転することを趣旨とする。
【発明の効果】
【０００９】
本発明によれば、キーボードは空中で保持される状態で収納されるために、キーボードが机の上を占有する平面スペースを完全にゼロ化できる。
【図面の簡単な説明】
【００１０】
【図１】収納支持具の外観図その１（底面と側面に接合した例）
【図２】収納支持具の外観図その３（底面と側面に接合した例で保持体を引き出した状態）
【図３】収納支持具を設置したモニター装置の前面図（底面と側面に接合した例）
【図４】保持体を回転動作により、収納可能な状態にしたモニター装置の前面図
【図５】収納支持具によりキーボードを収納した外観図
【実施例】
【００１１】
図１に示されるように、本発明の実施に係るキーボードの収納支持具１０は台座２０と保持体３０で構成される。
【００１２】
図２に示されるように、保持体３０は、連結部４０を支点として水平に９０度回転する。
【００１３】
図３に示されるように、収納支持具１０は台座２０によりモニター装置５０の前面左右の下角位置のモニター装置の底面と側面の２面の外枠に固定される。
【００１４】
台座２０は、保持体３０が保持するキーボードの重量負荷に耐えるためにモニター装置５０の底面と側面の外枠に固定されるものであるが、保持体３０がモニター装置５０にキーボードの重量負荷に耐えるほど充分強固にモニター装置に連結できるならば、その場合、台座２０はモニター装置５０の底面にのみ固定してもよい。また、保持体３０をモニター装置５０の躯体に直接単独で組み付けしてもよい。
【００１５】
図４に示されるようにキーボードを収納するとき、保持体３０は９０度回転してモニター装置の前面に配置される。
【００１６】
図５に示されるように、キーボードは収納支持具１０の保持体３０の内側で、裏向きの直立状態で保持され、モニター装置５０の前面で収納される。
【産業上の利用可能性】
【００１７】
企業や家庭において使用中の多くのデスクトップ型パソコンのモニター装置に、後付け機構品として、本発明を適応することができるとともに、モニター装置製造会社において新規に製造するモニター装置に本発明を適応できる。
【符号の説明】
【００１８】
１０  収納支持具 ２０  台座 ３０  保持体 ４０  連結部 ５０  モニター装置 ６０  キーボード（裏面） ６１  キーボード信号ケーブル
【手続補正３】
【補正対象書類名】図面
【補正対象項目名】全図
【補正方法】変更
【補正の内容】
【図１】
2012230468.tif 000016
【図２】
2012230468.tif 000017
【図３】
2012230468.tif 000018
【図４】
2012230468.tif 000019
【図５】
2012230468.tif 000020